(57)【要約】      （修正有）【課題】自転車のタイヤのスポークに簡単に取付け取外すことができるようにした自転車用反射器材を提供する。【解決手段】自転車のスポークに取付けられ、周囲からの光を反射する自転車用反射器材において、反射ベース板１の両端部がＵ字状に折り返し形成され、２つのＵ字状の折返し部分４に自転車のタイヤの隣接するスポーク５がＵ字状の奥方に達するように嵌め込まれ、スポークとＵ字状折返し部分の入り口との間の部位がねじで締付けられていることを特徴とする。【選択図】図１
0003199353.tif 000002
【実用新案登録請求の範囲】
【請求項１】
自転車のスポークに取付けられ、周囲からの光を反射する自転車用反射器材において、
反射ベース板（１）の両端部がＵ字状に折り返し形成され、該２つのＵ字状の折返し部分（４）に自転車のタイヤの隣接するスポーク（５）がＵ字状の奥方に達するように嵌め込まれ、上記スポーク（５）とＵ字状折返し部分（４）の入り口との間の部位がねじ（６）で締付けられていることを特徴とする自転車用反射器材。
【請求項２】
上記反射ベース板（１）の中間には取付け穴が形成され、赤色の起立反射板（２）には小幅の脚部が形成され、該脚部が上記反射ベース板（１）の取付け穴に嵌め込まれ、抜け止めピン（３）によって抜け止めされている請求項１記載の自転車用反射器材。
【請求項３】
上記起立反射板（２）はプラスチック材料にガラス小片を混入して製作されている請求項２記載の自転車用反射器材。
【考案の詳細な説明】
【技術分野】
【０００１】  この考案は自転車用反射器材に関し、特に自転車のタイヤのスポークに簡単に取付け取外すことができるようにした器材に関する。
【背景技術】
【０００２】  自転車では後輪の泥よけに反射器材を固定しているが、最近はタイヤのスポークに反射器材を取り付け、タイヤの回転によって反射器材に動きを与え、近くの自動車の運転手や自転車に乗った人に視認しやすくすることが行われている。【０００３】  例えば、一対の取付け部の間に楕円筒状の反射器を回転自在に取付け、隣接するスポークに取付け部のスリットを嵌め込むようにした反射器材が提案されている（特許文献１）。【０００４】  また、反射器を２つの部分に分割し、スポークに軸状の取付け部のスリットを嵌め込み、取付け軸を反射器の２つの部分を回転自在に挟み込むようにした反射器材が提案されている（特許文献２）。
【先行技術文献】
【特許文献】
【０００５】
【特許文献１】  実用新案登録第３０１３６８５号公報
【特許文献２】  実用新案登録第３０４５４７３号公報
【考案の開示】
【考案が解決しようとする課題】
【０００６】  しかし、特許文献１、２記載の反射器材では取付け部のスリットにタイヤのスポークを嵌め込むようにしているので、強固に取付けるためにはスリットの形状精度を必要とし、取付け時にスリットにスポークを強く押し込む必要があり、又反射器材を外す場合にも工具などを使用してスポークを取付け部のスリットから取り外す必要があって取付け取外しが煩わしいという問題があった。【０００７】  本考案はかかる問題点に鑑み、自転車のタイヤのスポークに簡単に取付け取外すことができるようにした自転車用反射器材を提供することを課題とする。
【課題を解決するための手段】
【０００８】  本考案に係る自転車用反射器材は、自転車のスポークに取付けられ、周囲からの光を反射する自転車用反射器材において、反射ベース板の両端部がＵ字状に折り返し形成され、該２つのＵ字状の折返し部分に自転車のタイヤの隣接するスポークがＵ字状の奥方に達するように嵌め込まれ、上記スポークとＵ字状折返し部分の入り口との間の部位がねじで締付けられていることを特徴とする。【０００９】  反射ベース板は側方からの光を反射する上で、平坦な板状としてもよいが、対向する自動車の運転手や自転車に乗った人あるいは後続の自動車の運転手や自転車に乗った人には急に自転車が現れてびっくりするおそれがある。【００１０】  そこで、反射ベース板の中間には取付け穴を形成し、赤色の起立反射板には小幅の脚部を形成し、脚部を反射ベース板の取付け穴に嵌め込み、抜け止めピンによって抜け止めするのがよい。【００１１】  反射ベース板や起立反射板の材質は特に限定されないが、製造の容易さからプラスチック材料が好ましい。この反射ベース板や起立反射板には微小凹凸を形成して光を乱反射させ、あるいは鏡面加工を行って光を反射させるようにしてもよく、又プラスチック材料に反射材料、例えば鏡小片やガラス小片を混合して光を乱反射させるようにしてもよい。特に、起立反射板はプラスチック材料にガラス小片を混入して製作されるのがよい。
【図面の簡単な説明】
【００１２】
【図１】  本案に係る自転車用反射器材の好ましい実施形態を示す正面図である。
【図２】  上記実施形態を示す側面図である。
【図３】  上記実施形態を示す斜視図である。
【図４】  上記実施形態を示す背面図である。
【図５】  上記実施形態における抜け止めピンを示す図である。
【考案を実施するための形態】
【００１３】  以下、本考案を図面に示す具体例に基づいて詳細に説明する。図１ないし図５は本考案に係る自転車用反射器材の好ましい実施形態を示す。図において、自転車用反射器材はプラスチック材料を用いて反射ベース板１の両側部分をＵ字状に折り返した形状に形成され、反射ベース板１には微小凹凸が形成されて光を反射するように加工されている。
【００１４】  この反射ベース板１の中央には長穴が穿設され、長穴には起立反射板２が差し込まれている。起立反射板２はプラスチック材料に赤色の顔料及びガラス小片を混合し攪拌した材料を用いて例えば反射器材の取付け状態で泥よけのステーなどと干渉しない高さの矩形状に形成されている。また、起立反射板２の下端縁には小幅の脚部が一体的に形成され、脚部が長穴に差し込まれて抜け止めピン３を脚部の穴に差し込むことによって抜け止めされている。
【００１５】  本例の反射器材をタイヤに取付ける場合、反射ベース板１の両側折返し部分４の入り口に、隣接するスポーク５の間隔の狭い箇所を合わせ、反射ベース板１を隣接するスポーク５に沿って間隔の大きい方向にスライドさせ、スポーク５が折り返し部分４の奥方に達すると、折返し部分４の入り口と奥方との間に形成された挿通穴に小ねじを挿通させてナットに螺合させ、小ねじ・ナット６によって締付けてスポーク５の位置をロックすればよい。
【００１６】  反射器材を取り外す場合には上記とは逆に小ねじ・ナット６を外し、反射ベース板１を隣接するスポーク５の間隔の狭い箇所にスライドさせると、スポーク５が折返し部分４の入り口から出るので、反射ベース板１を取り出せばよい。
【００１７】  以上のような本例の反射器材によれば、反射ベース板１の両側の折返し部分４の入り口に隣接するスポーク５を合わせ、反射ベース板１を間隔の大きい方向にスライドさせ、小ねじ・ナット６によって締付けることによって取付け、小ねじ・ナット６を外し、反射ベース板１を間隔の大きい方向にスライドさせることによって取り外すことができ、取付け取外しを容易に行うことができる。
【００１８】  また、反射ベース板１に赤色の起立反射板２を取付けているので、対向する自動車の運転手や自転車に乗った人あるいは後続の自動車の運転手や自転車に乗った人には赤色の起立反射板２からの光を確実に視認することができ、急に自転車が現れてびっくりすることもない。
【符号の説明】
【００１９】    １      反射ベース板
２      起立反射板
３      抜け止めピン
４      折返し部分
５      スポーク
６      小ねじ・ナット
【図１】
0003199353.tif 000003
【図２】
0003199353.tif 000004
【図３】
0003199353.tif 000005
【図４】
0003199353.tif 000006
【図５】
0003199353.tif 000007